(57)【要約】【課題】装置背面側に媒体載置部を有し、装置内部に反転経路を有する記録装置において、幅方向と奥行き方向と高さ方向の小型化を図る。【解決手段】記録装置１は、装置背面−Ｙ側に位置する媒体載置部３に載置された媒体Ｐを給送する給送部５と、給送部５から給送された媒体Ｐを搬送する搬送部７と、搬送部７から搬送された媒体Ｐに記録を行う記録部９と、記録部９により記録された媒体Ｐを逆方向に搬送して反転させる反転経路１１と、給送部５を駆動する給送駆動モーター１３と、を有し、給送駆動モーター１３は、反転経路１１の上側に配置されている。【選択図】図２
2020083610.tif 000002
【特許請求の範囲】
【請求項１】
装置背面側に位置する媒体載置部に載置されたに媒体を給送する給送部と、
前記給送部から給送された媒体を搬送する搬送部と、
前記搬送部から搬送された媒体に記録を行う記録部と、
前記記録部により記録された媒体を逆方向に搬送して反転させる反転部を含む反転経路と、
前記給送部を駆動する給送駆動モーターと、を有し、
前記給送駆動モーターは、前記反転経路の上側に配置されている、
ことを特徴とする記録装置。
【請求項２】
請求項１に記載の記録装置において、
前記給送駆動モーターは、前記給送部により媒体が送られる前記給送部と前記搬送部の間の給送経路の後方に位置する、ことを特徴とする記録装置。
【請求項３】
請求項１又は２に記載の記録装置において、
前記給送駆動モーターは、記録装置の幅方向と奥行き方向において上面視で前記反転経路とオーバーラップする位置にある、ことを特徴とする記録装置。
【請求項４】
請求項１から３のいずれか１項に記載の記録装置において、
記録装置の上側に画像を読取る読取部を有する画像読取装置を備え、該画像読取装置には、前記読取部を駆動する読取駆動モーターを有し、
前記給送駆動モーターは、記録装置の奥行き方向と高さ方向の少なくとも一方において側面視で前記読取駆動モーターとオーバーラップする位置にある、ことを特徴とする記録装置。
【請求項５】
請求項１から４のいずれか１項に記載の記録装置において、
前記媒体載置部の入口に前記媒体載置時に開く開閉カバーを備え、
前記給送駆動モーターは、記録装置の奥行き方向において上面視で閉じた状態の前記開閉カバーとオーバーラップする位置にある、ことを特徴とする記録装置。
【請求項６】
請求項１から５のいずれか１項に記載の記録装置において、
前記媒体載置部の入口に前記媒体載置時に開く開閉カバーを備え、
前記給送駆動モーターは、記録装置の幅方向において上面視で前記開閉カバーとオーバーラップする位置にある、ことを特徴とする記録装置。
【発明の詳細な説明】
【技術分野】
【０００１】
本発明は、媒体の反転経路を備えるインクジェットプリンター等の記録装置に関する。
【背景技術】
【０００２】
特許文献１には、媒体の反転経路を備えるインクジェット記録装置が記載されている。この記録装置は、装置背面側に位置する媒体載置部に載置された媒体を給送する給送部を備えている。そして、この給送部を駆動するための給送駆動モーターを備えている。
【先行技術文献】
【特許文献】
【０００３】
【特許文献１】特開２０１０−４７０１４号公報
【発明の概要】
【発明が解決しようとする課題】
【０００４】
特許文献１に記載の給送駆動モーターは、給送部の給送経路の下流側の下側であって給送経路の経路幅（媒体が通過する領域の幅）の外側に配置されている。一方、給送駆動モーターを配置するには装置幅方向や高さ方向に所定のスペースが必要になる。そのため、記録装置の小型化を進める上でこのような給送駆動モーターの配置は、記録装置の小型化を進め難い構造である。
【課題を解決するための手段】
【０００５】
上記課題を解決するための本発明に係る記録装置は、装置背面側に位置する媒体載置部に載置されたに媒体を給送する給送部と、前記給送部から給送された媒体を搬送する搬送部と、前記搬送部から搬送された媒体に記録を行う記録部と、前記記録部により記録された媒体を逆方向に搬送して反転させる反転部を含む反転経路と、前記給送部を駆動する給送駆動モーターと、を有し、前記給送駆動モーターは、前記反転経路の上側に配置されている、ことを特徴とする。
【図面の簡単な説明】
【０００６】
【図１】本発明の実施形態に係る記録装置を表す外観斜視図。
【図２】本発明の実施形態に係る記録装置を表す側断面図。
【図３】本発明の実施形態に係る記録装置の要部を表す平面図。
【図４】本発明の実施形態に係る記録装置の要部を表す正面図。
【図５】本発明の実施形態に係る記録装置の要部を表す側断面図。
【図６】本発明の実施形態に係る記録装置を一部破断して表す斜視図。
【図７】本発明の実施形態に係る記録装置を表す図６中のＢ部拡大図。
【図８】本発明の実施形態に係る記録装置の給送駆動ローラーのローラーカバーとメインフレームの位置関係を表す斜視図。
【図９】本発明の実施形態に係る記録装置の要部を表す斜視図。
【図１０】本発明の実施形態に係る記録装置の対策前の下部ハウジングを表す図１中のＡ−Ａ断面図。
【図１１】本発明の実施形態の係る記録装置の対策後の下部ハウジングを表す図１中のＡ−Ａ断面図。
【図１２】本発明の実施形態に係る記録装置の対策前の駆動ベルトの引回し形態を表す平面図。
【図１３】本発明の実施形態に係る記録装置の対策後の駆動ベルトの引回し形態を表す平面図。
【図１４】記録装置の他の構造を説明する装置後方からの斜視図。
【図１５】同他の構造の概略縦断面図。
【図１６】同他の構造の反転経路部分の側面図。
【図１７】図１６において側面のフレームを除いた状態の側面図。
【発明を実施するための形態】
【０００７】
最初に、本発明について概略的に説明する。  
上記課題を解決するための本発明の第１の態様の記録装置は、装置背面側に位置する媒体載置部に載置されたに媒体を給送する給送部と、前記給送部から給送された媒体を搬送する搬送部と、前記搬送部から搬送された媒体に記録を行う記録部と、前記記録部により記録された媒体を逆方向に搬送して反転させる反転部を含む反転経路と、前記給送部を駆動する給送駆動モーターと、を有し、前記給送駆動モーターは、前記反転経路の上側に配置されていることを特徴とする。
【０００８】
本態様によれば、前記給送駆動モーターは前記反転部を含む反転経路の上側に配置されているので、前記反転経路の上側の領域のスペースを利用して装置の高さ方向における小型化を進めることが可能になる。
【０００９】
本発明の第２の態様の記録装置は、第１の態様において、前記給送駆動モーターは、前記給送部により媒体が送られる前記給送部と前記搬送部の間の給送経路の後方に位置することを特徴とする。
【００１０】
本態様によれば、前記給送駆動モーターは前記給送部により媒体が送られる前記給送部と前記搬送部の間の給送経路の後方に位置する。言い換えると、該給送駆動モーターは、前記反転経路の上側で前記給送経路の後方の位置、則ち前記反転経路と前記給送経路とに挟まれる領域に位置する。これにより、装置の奥行き方向の小型化を進めることが可能となる。
【００１１】
本発明の第３の態様の記録装置は、第１の態様又は第２の態様において、前記給送駆動モーターは、記録装置の幅方向と奥行き方向において上面視で前記反転経路とオーバーラップする位置にあることを特徴とする。
【００１２】
本態様によれば、前記給送駆動モーターは、記録装置の幅方向と奥行き方向において上面視で前記反転経路とオーバーラップする位置にあるので、装置の幅方向と奥行き方向の小型化を進めることが可能となる。
【００１３】
本発明の第４の態様の記録装置は、第１の態様から第３の態様のいずれか一つの態様において、記録装置の上側に画像を読取る読取部を有する画像読取装置を備え、該画像読取装置には、前記読取部を駆動する読取駆動モーターを有し、前記給送駆動モーターは、記録装置の奥行き方向と高さ方向の少なくとも一方において側面視で前記読取駆動モーターとオーバーラップする位置にあることを特徴とする。
【００１４】
本態様によれば、前記給送駆動モーターは、記録装置の奥行き方向と高さ方向の少なくとも一方において側面視で前記読取駆動モーターとオーバーラップする位置にあるので、画像読取装置（スキャナー）を備える記録装置において、装置の奥行き方向と高さ方向の少なくとも一方において小型化を進めることが可能となる。
【００１５】
本発明の第５の態様の記録装置は、第１の態様から第４の態様のいずれか一つの態様において、前記媒体載置部の入口に前記媒体載置時に開く開閉カバーを備え、前記給送駆動モーターは、記録装置の奥行き方向において上面視で閉じた状態の前記開閉カバーとオーバーラップする位置にあることを特徴とする。
【００１６】
本態様によれば、前記給送駆動モーターは、記録装置の奥行き方向において上面視で閉じた状態の前記開閉カバーとオーバーラップする位置にあるので、装置の奥行き方向の小型化を進めることが可能となる。
【００１７】
本発明の第６の態様の記録装置は、第１の態様から第５の態様のいずれか一つの態様において、前記媒体載置部の入口に前記媒体載置時に開く開閉カバーを備え、前記給送駆動モーターは、記録装置の幅方向において上面視で前記開閉カバーとオーバーラップする位置にあることを特徴とする。
【００１８】
本体ようによれば、前記給送駆動モーターは、記録装置の幅方向において上面視で前記開閉カバーとオーバーラップする位置にあるので、給送駆動モーターを記録装置の幅方向に張り出させることなく、装置の幅方向の小型化を進めることが可能になる。
【００１９】
［実施形態］
以下に、本発明の記録装置を図１〜図１３に表す実施形態を例にとって、詳細に説明する。  
尚、以下の説明では、最初に図１及び図２に基づいて、本発明の実施形態に係る記録装置の全体構成について説明する。次に、図１〜図１３に基づいて該記録装置の要部となる発明特徴部分の構成を中心にして記録装置の具体的構成について説明する。  
続いて、本発明の実施形態に係る記録装置の作動態様と作用、効果について説明し、最後に前記実施形態とは部分的構成を異にする本発明の記録装置の他の実施形態について言及する。
【００２０】
（１）記録装置の全体構成の概略（図１及び図２参照）
本発明の記録装置１は装置背面−Ｙ側に位置する媒体載置部３に載置された媒体Ｐを給送する給送部５と、給送部５から給送された媒体Ｐを搬送する搬送部７と、搬送部７により搬送される媒体Ｐに記録を行う記録部９と、記録部９により記録された媒体Ｐを逆方向に搬送して反転させる反転ローラー（反転部）３３を含む反転経路１１と、給送部５を駆動する給送駆動モーター１３と、を備えることにより構成されている。  
そして、給送駆動モーター１３は、反転経路１１の上側のスペースに配置されている。
【００２１】
また、記録装置１は、上部に画像読取装置であるスキャナー１５、その下方にプリンター本体２を備えた複合型のインクジェットプリンターである。  
該インクジェットプリンターの装置背面−Ｙ側の上部には、ヒンジ１８を中心にして前後に開閉する開閉カバー１７が設けられている。開閉カバー１７を後方−Ｙに拡開することによって媒体Ｐを挿入する給送口４が現れて、この給送口４内に格納されているリアトレイ３を媒体載置部３として使用できるように構成されている。
【００２２】
給送部５は、給送駆動モーター１３と、リアトレイ３上に載置された媒体Ｐを搬送部７に導く給送経路１９と、給送経路１９の途中に設けられ、一例としてＤ形ローラーによって構成される給送駆動ローラー２１と、給送駆動モーター１３の出力軸の回転を給送駆動ローラー２１に伝達する給送部用ギヤ輪列２３（後述する図３から図５）と、を備えることによって構成されている。因みに、Ｄ形ローラーは、１周することで媒体Ｐの給送動作が完了するように構成されているので、給送部５の機構が簡素化されて、装置の小型化と製品コストの削減に寄与する。  
搬送部７は、給送部５によって給送された媒体Ｐを挟持して記録部９に向けて搬送する、一例としてニップローラーによって構成される搬送用ローラー２５と、搬送用ローラー２５によって搬送力が付与された媒体Ｐの下面に当接して支持するプラテン２７と、記録実行後の媒体Ｐを装置外部に排出する、一例としてニップローラーによって構成される排出用ローラー３２と、搬送用ローラー２５及び排出用ローラー３２に駆動力を付与する図示しない搬送駆動モーター及び搬送用ギヤ輪列と、を備えることによって構成されている。
【００２３】
記録部９は、媒体Ｐの被記録面となる上面に液体の一例であるインクを吐出して記録を実行する記録ヘッド２９と、記録ヘッド２９を搭載して装置の幅方向Ｘを走査方向として往復移動するキャリッジ３１と、キャリッジ３１を駆動する図示しない駆動モーター及びタイミングベルトと、を備えることによって構成されている。  
また、給送経路１９の背面−Ｙ側のスペースを利用して反転経路１１が設けられている。反転経路１１には、反転経路１１に搬送された媒体Ｐに当接して反転方向の搬送力を付与する反転ローラー３３が設けられている。
【００２４】
また、記録装置１には、前面＋Ｙの上部に上方を支点として開閉する操作パネル３５が設けられており、前面＋Ｙの下部に下方を支点として開閉する開閉蓋３７が設けられている。  
また、プリンター本体２の内部には、開閉蓋３７を前方＋Ｙに拡開することによって突出ないし引出し可能となる、奥行き方向Ｙに移動可能な排出スタッカー３９と、媒体Ｐを平置きしてセットする媒体カセット４１が設けられている。また、媒体カセット４１を収納する部位のプリンター本体２の奥部には媒体カセット４１にセットされた媒体Ｐを上方から１枚ずつピックアップするピックアップローラ４３が配置されている。
【００２５】
更に、このようにして構成されるプリンター本体２の上部には前述したように画像読取装置であるスキャナー１５が設けられている。このスキャナー１５は、いわゆるフラットベッド型のスキャナーであって、上下開閉式の蓋体４５と、内部に原稿台４６と、画像読取部となるイメージセンサー４７（後述する図５）と、イメージセンサー４７を装置幅方向Ｘに走査させる一例としてタイミングベルトによって構成される駆動ベルト４９（後述する図３）と、駆動ベルト４９が卷回される複数のプーリー５１及び該プーリー５１の一つを駆動プーリー５１Ａとして駆動力を伝達する読取駆動モーター５３と、が設けられた下部ハウジング５５（後述する図１０）と、が一例として備えられている。  
また、スキャナー１５は、その開閉動作を滑らかに行なえるようにダンパ５９とダンパ用ギヤ輪列５７を介して接続されている（後述する図４、図５）。  
この他、記録装置１には記録装置１の各部の制御を司る電子部品Ｅがマウントされた電子基板が設けられている。そして、この電子基板は装置の高さ方向Ｚに沿う垂直姿勢で設けられる中継基盤６１（後述する図４、図９）と、一例として中継基盤６１と交差する水平姿勢で設けられるメイン基板６３（後述する図４、図９）と、の二枚の基板によって構成されている。
【００２６】
（２）記録装置の要部の具体的構成（図１〜図１３参照）
先ず、本実施形態では、図２に表すように、給送駆動モーター１３は、給送部５の給送駆動ローラー２１により媒体Ｐが送られる、プリンター本体２内の、給送部５と搬送部７の間の給送経路１９の後方−Ｙに位置するように配置されている。  
即ち、従来、給送経路１９の下流側となるプリンター本体２の下部に設けられていた給送駆動モーター１３を、給送経路１９の上流側となるプリンター本体２の上部における給送経路１９の後方−Ｙの空きスペースを利用して配置している。
【００２７】
また、本実施形態では図２及び図３に表すように、給送駆動モーター１３は、記録装置１の幅方向Ｘと奥行き方向Ｙにおいて反転経路１１の存する領域Ｒと上面視でオーバーラップする位置に配置されている。  
即ち、給送駆動モーター１３のすべてが反転経路１１の存する領域Ｒに含まれているようにしてもよいし、給送駆動モーター１３の一部が反転経路１１の存する領域Ｒからはみ出している配置であってもよい。尚、本実施形態では、図３中の実線で表すように、給送駆動モーター１３を反転経路１１の存する領域Ｒの左側に配置したが、図３中の仮想線で表すように反転経路１１の存する領域Ｒの右側に給送駆動モーター１３を配置するようにすることも可能である。
【００２８】
また、本実施形態では図３及び図５に表すように、給送駆動モーター１３は、記録装置１の奥行き方向Ｙと高さ方向Ｚの両方において画像読取装置１５の読取駆動モーター５３と側面視でオーバーラップする位置に配置されている。  
給送駆動モーター１３のすべてが、読取駆動モーター５３の存する領域に対して記録装置１の奥行き方向Ｙと高さ方向Ｚの両方において含まれていてもよいし、その一部のみが含まれている構成であってもよい。また、給送駆動モーター１３は、記録装置１の奥行き方向Ｙと高さ方向Ｚのいずれか一方のみにおいてオーバーラップする構成であっても構わない。
【００２９】
また、本実施形態では図５に表すように、給送駆動モーター１３は、記録装置１の奥行き方向Ｙにおいて上面視で閉じた状態の開閉カバー１７とオーバーラップする位置に配置されている。  
図示のように給送駆動モーター１３のすべてが、閉じた状態の開閉カバー１７の奥行き方向Ｙの領域内に完全に含まれていてもよいし、その一部のみが含まれ、その他の部分が該領域の外にはみ出している構成であってもよい。
【００３０】
また、本実施形態では図３に表すように給送駆動モーター１３は、記録装置１の幅方向Ｘにおいても開閉カバー１７と上面視でオーバーラップする位置に配置されている。  
因みに、図示の実施形態では開閉カバー１７の幅方向Ｘの寸法が記録装置１全体の幅方向Ｘの寸法とほぼ同じ寸法に設定されているため、給送駆動モーター１３がプリンター本体２の側方にはみ出さない限り必然的に給送駆動モーター１３は、開閉カバー１７の幅方向Ｘの領域内に含まれることになる。ただし、開閉カバー１７の幅方向Ｘの寸法が記録装置１全体の幅方向Ｘの寸法より短い場合には、給送駆動モーター１３が開閉カバー１７の幅方向Ｘの領域外に配置される場合がある。本実施形態ではこのような場合にも給送駆動モーター１３の少なくとも一部が開閉カバー１７に対して幅方向Ｘにおいてオーバーラップすることを許容する配置が採用されている。
【００３１】
また、前記説明では給送駆動モーター１３の開閉カバー１７に対する配置について述べたが、読取駆動モーター５３の開閉カバー１７に対する配置についても同様の構成になっている。  
即ち、本実施形態では図５に表すように、読取駆動モーター５３は、記録装置１の奥行き方向Ｙにおいて閉じた状態の開閉カバー１７とオーバーラップする位置に配置されており、図３に表すように読取駆動モーター５３は、記録装置１の幅方向Ｘにおいても開閉カバー１７とオーバーラップする位置に配置されている。
【００３２】
この他、本実施形態では給送駆動ローラー２１の位相を検出する位相検出センサ―６５（図３）が給送駆動ローラー２１の駆動軸２２上に設けられている。この位相検出センサ―６５は、給送経路１９における媒体Ｐが通る幅方向Ｘの領域内に配置されている。  
従って、給送経路１９の幅方向Ｘにおける前記領域の外方に位相検出センサ―６５を配置する場合に比べて装置の幅方向Ｘにおけるコンパクト化を図ることができる構成になっている。
【００３３】
次に、給送部用ギヤ輪列２３とダンパ用ギヤ輪列５７と中継基板６１とメイン基板６３との位置関係について説明する。  
即ち、図４に表すように給送部用ギヤ輪列２３と画像読取装置１５のダンパ５９に接続されるダンパ用ギヤ輪列５７は、記録装置１の高さ方向Ｚにおいてオーバーラップする位置に配置されている。  
また、ダンパ用ギヤ輪列５７の装置幅方向Ｘの外方にセパレート化された２枚の基板の内の一方の中継基板６１が配置されており、画像読取用ギヤ輪列５７と中継基板６１を装置幅方向Ｘにおける外方に所定量オフセットされた位置に配置することで、これらの内方に給送部用ギヤ輪列２３を配置するスペースを確保している。  
尚、メイン基板６３は、中継基板６１の幅方向Ｘの外方に配置するのではなく中継基板６１の下方に配置しており、これにより記録装置１の幅方向Ｘのコンパクト化を図っている。
【００３４】
次に、図６及び図７に基づいて、給送駆動ローラー２１のカバー６７とプリンター本体２の上部ハウジング６９とメインフレーム７１との位置関係について説明する。  
即ち、給送駆動ローラー２１の上方に設けられる上部ハウジング６９の一部に一例として角穴状の切欠き部７０を形成して、この切欠き部７０内に給送駆動ローラー２１をインクミスト等から保護するカバー６７の一部を入り込ませて装置高さ方向Ｚにオーバーラップさせる配置が採用されている。
【００３５】
また、図８に表すように、給送駆動ローラー２１の前方＋Ｙに配置されているメインフレーム７１の一部に一例として矩形状の凹部７２を形成して、この凹部７２内に給送駆動ローラー２１用のカバー６７の一部を入り込ませることでカバー６７とメインフレーム７１を奥行き方向Ｙに接近させており、これにより記録装置１の高さ方向Ｚと奥行き方向Ｙの小型化を図っている。  
次に、媒体Ｐの給送経路１９と画像読取装置１５の位置関係と、該位置関係に伴って必要になる画像読取装置１５の一部構成の変更について説明する。
【００３６】
本実施形態では、図２に表すように、給送駆動モーター１３を給送経路１９の背面側における記録装置１の上部の空きスペースを利用して配置している。これに伴い、本実施形態では給送駆動モーター１３の前方＋Ｙの給送経路１９との間隔が狭くなることから、この部位での給送経路１９の位置を幾分前方＋Ｙに移動させている。  
しかし、図１０に表すように、給送経路１９の位置を前方＋Ｙに移動させると、給送経路１９が画像読取装置１５の下部ハウジング５５の一部と干渉する場合が生じる。  
そこで、本実施形態では、図１１に表すように、画像読取装置１５の下部ハウジング５５の後端部の形状を一例として図示のような面取りした形状に変更することによって給送経路１９と画像読取装置１５の下部ハウジング５５との干渉を回避している。
【００３７】
更に、給送経路１９の位置を前方＋Ｙに移動させると、図１２に表すように画像読取装置１５の駆動ベルト４９が媒体Ｐの給送経路１９に掛かってしまい、その一部が干渉する場合がある。そこで、本実施形態では図１３に表すようにプーリー５２を１個追加することで駆動ベルト４９の引回し形態を変えて駆動ベルト４９と給送経路１９との干渉を回避している。
【００３８】
（３）記録装置の作動態様と作用、効果
このようにして構成される記録装置１を使用してリアトレイ３にセットした媒体Ｐに対して記録を実行する場合には、図２に表すように、開閉カバー１７を上方に開き、リアトレイ３に媒体Ｐを支持させる。また、リアトレイ３に上方に引き出して使用する延長トレイが設けられている場合には、必要に応じて延長トレイを上方に引き出してから媒体Ｐをセットする。操作パネル３５ないしパーソナルコンピューター（ＰＣ）から記録実行の指令が出されると給送駆動ローラー２１が回転を始めて媒体Ｐの給送が開始される。  
この際、媒体Ｐは、画像読取装置１５の下部ハウジング５５に接触することなく円滑に給送が実行される。
【００３９】
媒体Ｐの先端が搬送用ローラー２５のニップ点に至ると、搬送用ローラー２５から搬送力を受けるようになって下流の記録実行領域７３に向けて媒体Ｐの搬送が開始される。記録実行領域７３では下面がプラテン２７に当接することで支持されている媒体Ｐの上面に記録ヘッド２９からインクが吐出されて表面に対しての所望の記録が実行される。  
記録実行領域７３を通過した媒体Ｐの先端は、排出用ローラー３２のニップ点に至り、排出用ローラー３２からも搬送力を受けるようになって更に下流へと搬送されて行く。
【００４０】
媒体Ｐの表面への記録が終了すると、搬送用ローラー２５と排出用ローラー３２は、逆方向に回転するようになる。これに伴い、終端側から媒体Ｐは反転経路１１に進入し、反転ローラー３３によって搬送された媒体Ｐは、表裏反転されて再び搬送用ローラー２５のニップ点に供給され、記録実行領域７３、排出用ローラー３２のニップ点に至り、媒体Ｐの裏面に対する記録が実行される。そして、媒体Ｐの裏面に対する記録が終了すると、媒体Ｐは、前方に突出して待機している排出スタッカー３９上に順次移載され、取り出されて行く。
【００４１】
尚、給送駆動モーター１３と反転経路１１の領域Ｒは、図３に表すように装置の幅方向Ｘにおいてオーバーラップする位置関係になっているが、図２に表すように高さ方向Ｚでは両者は案内壁７５等によって区画されており、互いに干渉しない位置関係になっている。  
従って、反転経路１１内でも媒体Ｐの円滑な搬送が実行されている。
【００４２】
また、前述した画像読取装置１５を使用して原稿に表示されている画像情報を読み取る（スキャンする）場合には、蓋体４５を開け、原稿台４６上に原稿をセットする。そして、蓋体４５を閉めた後、操作パネル３５ないしＰＣから指令を出して画像情報の読み取りを開始する。  
前記指令に基づいて読取駆動モーター５３が駆動を開始し、プーリー５１の一つを駆動プーリー５１Ａとして回転させる。駆動プーリー５１Ａの回転は、プーリー５１に卷回されている駆動ベルト４９に伝達され、更に駆動ベルト４９の一部が係止されているイメージセンサー４７を、例えば装置の幅方向Ｘに移動させて所望の画像情報の読み取りを実行する。
【００４３】
尚、本実施形態では前述したようにプーリー５２を一つ追加することで媒体Ｐの給送経路１９と干渉しない駆動ベルト４９の引き回しが行われているから、駆動ベルト４９の円滑な移動によって画像情報の読み取りが高精度に実行される。  
また、イメージセンサー４７によって読み取った画像情報をリアトレイ３上にセットした媒体Ｐに対して出力する場合にも、媒体Ｐは、駆動ベルト４９と干渉することなく給送経路１９を搬送されて下流の搬送部７と記録部９に至り、所望の記録を実行することができる。
【００４４】
そして、このようにして構成される本実施形態に係る記録装置１によれば、給送駆動モーター１３を反転経路１１の上側の空きスペースを利用して配置しているから、従来給送駆動モーター１３が設けられていた給送経路１９の下流側の部位を省略してコンパクトにすることが可能になる。また、前記空きスペースを他部材のスペースとして有効活用することによって装置の主に高さ方向Ｚにおける小型化を進めることが可能になる。  
また、前述した給送駆動モーター１３と読取駆動モーター５３等の他部材と干渉しない、幅方向Ｘ、奥行き方向Ｙまたは高さ方向Ｚにおけるオーバーラップした配置によって、装置の幅方向Ｘと奥行き方向Ｙと高さ方向Ｚにおける装置の小型化を進めることも可能になる。
【００４５】
［記録装置の他の構造の説明］
図１４から図１７に基づいて、他の構造の記録装置１００について説明する。  
この記録装置１００では、反転経路１１１を備える反転ユニット１８０は、反転ローラー１３３の回転軸（図示せず）の両端部がフレーム１８１（一方のフレームだけが図示されている）に支持されている。そして、前記回転軸のフレーム１８１の外側一方に（反転ローラー１３３と反対側）ギア１８２が取り付けられており、このギア１８２に駆動源から動力が伝達されて反転ローラー１３３が回転するように構成されている。  
ギア１８２の外側であって、反転ローラー１３３と側面視でオーバーラップする位置に給送駆動モーター１１３が配置されている（図１７）。ここで、給送駆動モーター１１３の反転ローラー１３３とのオーバーラップは、一部がオーバーラップしている配置と、全体がオーバーラップしている配置のいずれでもよい。
【００４６】
また、フレーム１８１の外側であって、更に給送駆動モーター１１３の外側には、給送部１０５の給送駆動ローラー１２１に給送駆動モーター１１３の回転動力を伝達するための給送用ギア輪列（図示せず、上記実施形態において符号２３が付されている輪列に相当するもの）が配設されている。即ち、給送駆動モーター１１３は、反転ユニット１８０と給送用ギア輪列との間のスペースを利用して、反転ローラー１３３と側面視でオーバーラップする位置に配置されている。  
各図において、符号１０２はプリンター本体、１０３は媒体載置部（リアトレイ）、１０５は給送部、１２１は給送駆動ローラー、１２９は記録ヘッド、１４１は媒体カセット、１４３はピックアップローラーである。  
この記録装置１００は、上記したように、給送駆動モーター１３３が反転ローラー１１３と側面視でオーバーラップする位置に配置されているので、反転ユニット１８０と給送用ギア輪列との間のスペースを有効に利用することができる。
【００４７】
［他の実施形態］
本発明に係る記録装置１は、以上述べたような構成を有することを基本とするものであるが、本願発明の要旨を逸脱しない範囲内での部分的構成の変更や省略等を行うことも勿論可能である。
【００４８】
例えば、本発明に係る記録装置１は、前記実施形態で述べたプリンター本体２と画像読取装置１５が一体になった複合型のインクジェットプリンターに限らず、複合型のレーザープリンターや複写機、画像読取装置１５を有さないプリンター本体２のみを備える単体の記録装置であっても構わない。  
また給送駆動モーター１３の位置を媒体Ｐの給送経路１９と幅方向Ｘにおいてオーバーラップしない、給送経路１９の側方位置に移動できる場合には、給送経路１９の背面スペースを利用して媒体載置部となるリアトレイ３を、余裕をもって設置することが可能である。また、この場合には給送経路１９を前方＋Ｙに移動させる必要がないから、画像読取装置１５の下部ハウジング５５の形状変更と駆動ベルト４９の引き回しレイアウトの変更とを省略することも可能である。
【００４９】
また、前記実施形態の場合には開閉カバー１７のヒンジ１８の位置が装置の後方−Ｙに設けられているため、開閉カバー１７を開くと開閉カバー１７の位置は、プリンター本体２内の給送経路１９の位置よりも後方−Ｙになってしまう。従って、開閉カバー１７の裏面を媒体載置部３として使用することはできない。  
この場合、開閉カバー１７のヒンジ１８を前方＋Ｙ寄りに設けて前方に開くようにする。または、第１段階で後方−Ｙに開き、第２段階で前方＋Ｙにスライドさせる２段階方式の開閉カバー１７とすることで開閉カバー１７に媒体載置部３としての機能を持たせることも可能である。
【符号の説明】
【００５０】
１…記録装置、２…プリンター本体、３…媒体載置部（リアトレイ）、４…給送口、
５…給送部、７…搬送部、９…記録部、１１…反転経路、
１３…給送駆動モーター、１５…画像読取装置（スキャナー）、１７…開閉カバー、
１８…ヒンジ、１９…給送経路、２１…給送駆動ローラー、２２…駆動軸、
２３…給送部用ギヤ輪列、２５…搬送用ローラー、２７…プラテン、
２９…記録ヘッド、３１…キャリッジ、３２…排出用ローラー、
３３…反転ローラー、３５…操作パネル、３７…開閉蓋、
３９…排出用スタッカー、４１…媒体カセット、４３…ピックアップローラ―、
４５…蓋体、４６…原稿台、４７…画像読取部（イメージセンサー）、
４９…駆動ベルト、５１…プーリー、５２…プーリー、５３…読取駆動モーター、
５５…下部ハウジング、５７…ダンパ用ギヤ輪列、５９…ダンパ、
６１…中継基板、６３…メイン基板、６５…位置検出センサ―、６７…カバー、
６９…上部ハウジング、７０…切欠き部、７１…メインフレーム、７２…凹部、
７３…記録実行領域、７５…案内壁、１００…記録装置、１０２…プリンター本体、
１０２…プリンター本体、１０３…媒体載置部、１０５…給送部、
１２１…給送駆動ローラー、１２９…記録ヘッド、１４１…媒体カセット、
１４３…ピックアップローラー、１８０…反転ユニット、１８１…フレーム、
１８２…ギア、
Ｘ…幅方向、Ｙ…奥行き方向、＋Ｙ…前面（前方）、−Ｙ…背面（後方）、
Ｚ…高さ方向、Ｐ…媒体、Ｅ…電子部品、Ｒ…領域
【図１】
2020083610.tif 000003
【図２】
2020083610.tif 000004
【図３】
2020083610.tif 000005
【図４】
2020083610.tif 000006
【図５】
2020083610.tif 000007
【図６】
2020083610.tif 000008
【図７】
2020083610.tif 000009
【図８】
2020083610.tif 000010
【図９】
2020083610.tif 000011
【図１０】
2020083610.tif 000012
【図１１】
2020083610.tif 000013
【図１２】
2020083610.tif 000014
【図１３】
2020083610.tif 000015
【図１４】
2020083610.tif 000016
【図１５】
2020083610.tif 000017
【図１６】
2020083610.tif 000018
【図１７】
2020083610.tif 000019